(57)【特許請求の範囲】
【請求項１】
写真フイルムを保持するヘッド部に設けた撮影開口に前記写真フイルムの撮影コマをセットし、前記撮影コマに記録した画像をズームレンズ光学系を通して固体撮像素子で撮像して、外部に接続されるモニタに前記画像を表示するための撮像信号を得るとともに、
前記ズームレンズ光学系と前記固体撮像素子とを一体的に保持するレンズ鏡筒と前記ヘッド部とを前記ズームレンズ光学系の光軸を中心として相対的に回転するように支持した電子ビュアーにおいて、
前記ズームレンズ光学系が基準の変倍位置のときに外部に設けた撮像範囲切換えレバーを二位置の間で操作することに応答して、縦位置の画像の全体を前記モニタに表示する像倍率になるように前記撮影開口から離れた被写体距離にする離反位置と、横位置の画像の全体を前記モニタに表示する像倍率になるように前記撮影開口に近い被写体距離にする接近位置との間で前記レンズ鏡筒を移動する被写体距離変更手段と、
前記ヘッド部の回転位置と前記レンズ鏡筒の移動位置との組み合わせを識別し、前記組み合わせに基づいて、前記縦位置又は横位置の画像の全体を前記モニタに表示する像倍率になるように、前記ズームレンズ光学系を構成するレンズの前記レンズ鏡筒内における位置を変更して前記ズームレンズ光学系の焦点距離を変える変倍制御手段とを備えたことを特徴とする電子ビュアー。
【請求項２】
前記変倍制御手段は、前記撮影コマを前記撮影開口にセットすること、又は前記ヘッド部を回転することに応答して、前記レンズの前記レンズ鏡筒内における位置を変更して前記ズームレンズ光学系の焦点距離を変えることを特徴とする請求項１に記載の電子ビュアー。
【請求項３】
前記ヘッド位置の回転位置を検出し、前記回転位置に応じた検出信号を送る回転位置検出手段と、前記レンズ鏡筒の移動位置を検出し、前記移動位置に応じた検出信号を送る移動位置検出手段とを備えていることを特徴とする請求項１又は２に記載の電子ビュアー。
【請求項４】
前記変倍制御手段には、横位置の画像に対応した前記ヘッド部の回転位置と前記レンズ鏡筒の前記接近位置との組み合わせ、又は縦位置の画像に対応した前記ヘッド部の回転位置と前記レンズ鏡筒の前記離反位置との組み合わせのときに、前記縦位置又は横位置の画像全体を前記モニタに表示する像倍率になるように前記レンズの前記レンズ鏡筒内における位置を変更した前記ズームレンズ光学系の前記基準の変倍位置と、
横位置の画像に対応した前記ヘッド部の回転位置と前記レンズ鏡筒の前記離反位置との組み合わせのときに前記横位置の画像全体を前記モニタに表示する像倍率になるように前記レンズの前記レンズ鏡筒内における位置を変更した前記ズームレンズ光学系の第１の変倍位置と、
縦位置の画像に対応した前記ヘッド部の回転位置と前記レンズ鏡筒の前記接近位置との組み合わせのときに前記縦位置の画像全体を前記モニタに表示する像倍率になるように前記レンズの前記レンズ鏡筒内における位置を変更した前記ズームレンズ光学系の第２の変倍位置との少なくとも３つの変倍位置のデータを予め記憶する記憶手段を備えていることを特徴とする請求項１ないし３いずれか記載の電子ビュアー。
【発明の詳細な説明】
【０００１】
【発明の属する技術分野】
本発明は電子ビュアーに係わり、特にネガ又はポジフイルム、その他の被写体を固体撮像素子を用いて撮像し、撮像により得られた映像信号をＣＲＴモニタなどの表示装置に出力する電子ビュアーに関するものである。
【０００２】
【従来の技術】
従来、本出願人から電子ビュアー「FOTOVISION  ＦＶ１０」（商品名）が提供されている。電子ビュアーは、ビュアー本体内にズームレンズ光学系、固体撮像素子（ＣＣＤ）、及び画像処理回路を備え、光学系を介して入射した被写体の光像をＣＣＤの光電面上で結像し、ＣＣＤから出力される光電信号を画像処理回路によって映像信号に変換し、この映像信号をモニタＴＶ等の表示装置に出力するもので、フイルムキャリアで保持された写真フイルムを光学系から一定の距離にセットし、この写真フイルムに記録された画像をＣＣＤで撮像する。
【０００３】
電子ビュアーには、ズームボタン、画面切換えレバー、ヘッド部回転機能が装備されている。ズームボタンは、写真画像をユーザーの意図する倍率に変更するためのものであり、また、画面切換えレバー及びヘッド部回転機能は、撮影向きに応じて写真画像をＣＲＴに正しく表示する機能である。
【０００４】
ヘッド部回転機能は、フイルムキャリアをセットするヘッド部をビュアー本体に対して回転自在に設けた機構であり、縦位置で撮影された写真画像についてはヘッド部を９０度回転して撮像することによって、正しい姿勢で画像表示を行うことができる。
【０００５】
画面切換えレバーは、写真画像の縦横が変わるたびに必要とされていたズーミング操作を簡便にするために、ズームレンズ及び固体撮像素子を組み込んだレンズ鏡筒を一体的に光軸方向に移動させ、被写体距離を変えることによって像倍率の切替えを行う。これによれば、縦位置で撮影された写真画像に対応してヘッド部を９０度回転した後に画面切換えレバーを縦位置に操作すると、レンズ鏡筒が後退して撮像の範囲が広がり、ケラレのないフル画像で写真画像全体をＣＲＴモニタに表示することができる。
【０００６】
【発明が解決しようとする課題】
しかしながら、ズーミング操作を行ってズームレンズのそのものの倍率をいったん変更してしまうと、次回の写真画像をセットしたときに、この写真画面の姿勢に合わせるようにヘッド部と画面切換えレバーとを操作しても、写真画像がＣＲＴモニタからケラレていたり、また縮小されたりした表示になってしまう。この場合には、再びズーミング操作を行って一々元の倍率に戻す作業が必要となる。また、写真画像の一部を拡大して表示する倍率が決まっている場合には、写真画像をセットするごとにＣＲＴモニタの表示を見ながら所望する倍率となるまでズーミング操作を行う作業が必要となっていた。
【０００７】
本発明は、このような煩わしい作業を簡便にした電子ビュアーを提供することを目的とする。
【０００８】
【課題を解決するための手段】
上記目的を達成するために、本願発明の電子ビュアーでは、ズームレンズ光学系が基準の変倍位置のときに外部に設けた撮像範囲切換えレバーを二位置の間で操作することに応答して、縦位置の画像の全体をモニタに表示する像倍率になるように撮影開口から離れた被写体距離にする離反位置と、横位置の画像の全体をモニタに表示する像倍率になるように前記撮影開口に近い被写体距離にする接近位置との間でレンズ鏡筒を移動する被写体距離変更手段と；ヘッド部の回転位置とレンズ鏡筒の移動位置との組み合わせを識別し、前記組み合わせに基づいて縦位置又は横位置の画像の全体をモニタに表示する像倍率になるように前記ズームレンズ光学系を構成するレンズの前記レンズ鏡筒内における位置を変更してズームレンズ光学系の焦点距離を変える変倍制御手段と；を備えたものである。この場合、前記撮影コマを撮影開口にセットすること、又はヘッド部を回転することに応答して変倍制御手段がズームレンズ光学系の焦点距離を変えるように構成するのが好適である。また、ヘッド位置の回転位置を検出し、その回転位置に応じた検出信号を送る回転位置検出手段と、レンズ鏡筒の移動位置を検出し、その移動位置に応じた検出信号を送る移動位置検出手段とを備えるのが望ましい。
【０００９】
レンズ鏡筒の切り換え位置とヘッド部の回転位置との組み合わせは４通りある。このうち、横位置の画像に対応したヘッド部の回転位置とレンズ鏡筒の接近位置との組み合わせ、及び、縦位置の画像に対応したヘッド部の回転位置とレンズ鏡筒の離反位置との組み合わせとの両方では、前記縦位置又は横位置の画像の全体をモニタに表示する像倍率にするズームレンズ光学系の変倍位置を同じにすることができる。そして、横位置の画像に対応したヘッド部の回転位置とレンズ鏡筒の離反位置との組み合わせのときには、前記横位置の画像の全体をモニタに表示する像倍率になるようにズームレンズ光学系を第１の変倍位置に変倍する必要がある。さらに、縦位置の画像に対応したヘッド部の回転位置とレンズ鏡筒の接近位置との組み合わせのときには、前記縦位置の画像の全体をモニタに表示する像倍率になるようにズームレンズ光学系を第２の変倍位置に変倍する必要がある。
【００１０】
そこで、横位置の画像に対応したヘッド部の回転位置とレンズ鏡筒の接近位置との組み合わせ、又は縦位置の画像に対応したヘッド部の回転位置とレンズ鏡筒の離反位置との組み合わせのときに前記縦位置又は横位置の画像の全体をモニタに表示する像倍率になるように前記レンズのレンズ鏡筒内における位置を変更してズームレンズ光学系の焦点距離を変えた基準の変倍位置と、横位置の画像に対応したヘッド部の回転位置とレンズ鏡筒の離反位置との組み合わせのときに前記横位置の画像の全体をモニタに表示する像倍率になるように前記レンズのレンズ鏡筒内における位置を変更してズームレンズ光学系の焦点距離を変えた第１の変倍位置と、縦位置の画像に対応したヘッド部の回転位置とレンズ鏡筒の接近位置との組み合わせのときに前記縦位置の画像の全体をモニタに表示する像倍率になるように前記レンズのレンズ鏡筒内における位置を変更してズームレンズ光学系の焦点距離を変えた第２の変倍位置との少なくとも３つの変倍位置のデータを予め記憶する記憶手段を変倍制御手段に設けても良い。
【００１１】
これによれば、ズーミング操作を行ってズームレンズ光学系の基準の変倍位置を変えてしまうことで撮像範囲切り換えレバーを操作しても撮像画像の全体をモニタに表示することができないため再びモニタを見ながらズーミング操作を行う煩わしい操作を必要とせず、ズームレンズの変倍位置に係わらず撮像した画像の全体をモニタに確実にかつ簡便に表示することができる。
【００１２】
【発明の実施の形態】
電子ビュアー１０は、図２に示すように、ヘッド部１１とビュアー本体１２とで構成されている。ヘッド部１１には、一対のヘッドカバー１３，１４がヒンジ１５，１６により開閉自在に取り付けられており、これらには各々照明灯が内蔵されている。ヘッドカバー１３，１４を開くと、ビュアー本体１２の上面中央に設けた撮影開口が外部に露呈される。撮影開口は、写真画像よりも大きなサイズとされており、奥には、撮影光軸を同図において垂直方向に配置したズームレンズ光学系とこのズームレンズ光学系の結像面に受光面を配置したＣＣＤ（固体撮像素子）とが内蔵されている。
【００１３】
ビュアー本体１２の側面には、ズームレンズ光学系の倍率を変更するテレ端側ズームボタン１７、ワイド端側ズームボタン１８、及び映像出力端子１９の他に、所望の倍率を記憶させるズームセットボタン２０、記憶させた倍率に自動的にズームするワンタッチズームボタン２１等が設けられている。ＣＣＤで撮像した画像は、映像出力端子１９を介して画像表示装置、例えばＣＲＴモニタ等を接続することでＣＲＴモニタに表示される。
【００１４】
ヘッド部１１には、対向する両面側にキャリア挿入口２２が設けられている。これらのキャリア挿入口２２との間は、撮影開口を通る貫通路とされている。この貫通路は、ズームレンズ光学系の撮影光軸に対して直交する方向とされている。キャリア挿入口２２には、現像済み写真フイルムをセットするためのフイルムキャリアが貫通路に沿ってセットされる。フイルムキャリアは、写真フイルムの種類毎に用意されており、これらを用いることで各コマの写真画像を撮影開口に順次にセットする作業が簡便に行える。このような写真画像を撮像するときには、一対のヘッドカバー１３，１４を閉じる。ヘッドカバー１３，１４を閉じると照明灯が写真画像を背面側から照明する。フイルムキャリアには、写真フイルムを挟んで照明灯側に拡散板が、また撮影開口側にフイルムマスクがそれぞれ配置されている。フイルムマスクは、写真画像と同じか、又は僅かに小さいサイズとされている。
【００１５】
ヘッド部１１は、ビュアー本体１２に対して回転自在に取り付けられている。写真画像が縦位置のときには、図３に示すように、ヘッド部１１を９０度回転させることで画像をＣＲＴモニタに正しい姿勢で表示することができる。図３に示した電子ビュアー１０は、図２に対して逆側から見たものであり、この側には、電源スイッチ２３、撮像範囲切換えレバー２５、及び撮影モード切換えレバー２４が配設されている。撮像範囲切換えレバー２５は、撮像範囲を切り替える際に操作される。この撮像範囲切換えレバー２５は、狭い撮像範囲が得られるＡ位置又は広い撮像範囲が得られるＢ位置のうちのいずれかに操作される２段式レバーである。
【００１６】
この電子ビュアー１０は、写真画像を撮像するネガ、又はポジモードの他に、人物や風景等の大きな立体物の画像を撮像するカメラモード、さらにはプリント写真やパンフレット等の印刷物等を撮像するプリントモードとの４つの撮影モードで使用することができる。これらの撮影モードは、撮影モード切換えレバー２４を切り換えることで、それぞれの撮像対象物の画像を良好な色合いでＣＲＴモニタに表示することができる。
【００１７】
フイルムキャリア２６は、スプール２８の回転により写真フイルムの送り出し可能なカートリッジ付き写真フイルム２７の写真画像を撮像するためのものである。このカートリッジ付き写真フイルム２７は、未露光の写真フイルムに撮影を行い、現像所で現像処理を行った後に、再び同じカートリッジ２７ａに現像済みの写真フイルムが巻き込まれる。カートリッジ２７ａには、写真フイルムの後端が係止されたスプール２８の他に、カートリッジの内部遮光用の遮光蓋２９がフイルム送出口に設けられており、これらの端面はカートリッジ２７ａの両側面から露呈されている。遮光蓋２９は、カートリッジ２７ａの側面に露呈された端部を回転させることでフイルム送出口を開く開き位置と閉じる閉じ位置との間で回転する。
【００１８】
フイルムキャリア２６は、カートリッジ室３０、フイルム巻取り室３１、これらを所定間隔離して支持するブリッジ状の連絡板３２、及びこれらの内部に設けられたフイルム給送制御機構で構成されており、連絡板３２の内部にフイルム通路が形成されている。カートリッジ室３０には、カートリッジ２７ａの装填時に開かれる蓋３３が設けられている。蓋３３は、側面に配設した開閉レバー３４を開き位置に操作することで開けることができる。カートリッジ２７ａを装填した後には、再び開閉レバー３４を閉じ位置に操作する。これにより蓋３３にロックがかかる。そして、カートリッジ２７ａを取り出すときには、開閉レバー３４を開き位置に操作することで取り出せる。
【００１９】
カートリッジ室３０の上面には、１コマ順送りボタン３５、１コマ逆送りボタン３６、自動巻戻しボタン３７とが配設されており、カートリッジ２７ａを装填後にこれらの送りボタン３５，３６を操作することで所望する写真画像を撮影開口にセットすることができる。
【００２０】
カートリッジ室３０の内部には、蓋開閉軸とスプール駆動軸とが露呈されており、カートリッジ２７ａをスプール２８の軸方向に挿入することでこれらの軸がスプール２８と遮光蓋２９とにそれぞれ係合する。蓋開閉軸は、開閉レバー３４の閉じ位置への操作に連動してカートリッジ２７ａの遮光蓋２９を開き位置に回転させ、また開閉レバー３４の開き位置への操作に連動して遮光蓋２９を閉じ位置に回転させる。
【００２１】
図１に示すように、ビュアー本体１２の内部には、撮影開口３８の下方に、レンズ鏡筒３９、固体撮像素子（ＣＣＤ）４０、画像処理回路４１、及びスイッチ群等が内蔵されており、これらは制御部４２によって統括的に制御されている。このレンズ鏡筒３９の内部には、ズームレンズ光学系を構成する前群レンズ４３と後群レンズ４４とが撮影光軸方向に移動自在に保持されており、またレンズ鏡筒３９の端部にはアイリス４５を介して固体撮像素子４０が固定されている。
【００２２】
レンズ鏡筒３９は、前述した撮像範囲切換えレバー２５の操作方向に対応して、撮影光軸に沿って、フイルム面６３に近いａ位置と、フイルム面から遠いｂ位置（点線で示した位置）との２つの位置に移動する。制御部４２は、レンズ鏡筒３９に設けた検出レバー４６を検出する２つの検出器４７，４８のうちのいずれかから得られる切換え信号を取り込むことでレンズ鏡筒３９がどの位置にいるかを識別することができる。
【００２３】
また、ビュアー本体１２の上方には、ヘッド部１１の向きを検出するヘッド位置検出器４９が設けられている。この検出器４９は、写真画像の横位置と縦位置とで回転されるヘッド部１１の位置を検出し、これらに応じたヘッド位置信号を制御部４２に送る。制御部４２は、ヘッド位置信号を監視することでヘッドの回転操作が行われたことを認識することができる。
【００２４】
さらに、ビュアー本体１２の上方には、外部接続端子５０が設けられている。この外部接続端子５０は、制御部４２に接続されている。制御部４２は、外部接続端子５０を通じてフイルムキャリア２６の制御回路５１からコマ送り信号を受け取るとともに、導通抵抗に基づいてフイルムキャリア２６の着脱を監視している。
【００２５】
制御部４２は、撮影モード切換えレバー２４のポジションがカメラ以外のポジションとされたときに、インバータ回路５２を駆動してヘッド部１１の照明灯５３をそれぞれ点灯させる。この照明により写真画像はズームレンズ光学系を介して固体撮像素子４０に入射する。制御部４２は、電源スイッチ２３のＯＮ操作に基づいて固体撮像素子４０を制御して入射する光像に応じた画像信号を画像処理回路４１に出力する。画像処理回路４１は、撮影モードに応じてこの画像信号を映像信号に変換して外部映像出力端子１９に出力する。
【００２６】
また、画像信号は、画質制御回路５４に取り込まれる。画質制御回路５４は、画像信号から撮像画面を多数のエリアに分割し、各エリア毎に輝度信号を積分し、この輝度積分値を制御部４２に送る。制御部４２は、この輝度積分値から測光値を算出してアイリス４５を制御する。さらに、画質制御回路５４は、輝度信号の高周波成分を積分し、この高周波積分値を制御部４２に送る。制御部４２は、この高周波積分値から測距値を算出し、測距値に応じた回転方向とパルス数とをもった駆動信号をドライバー５５を介して前群レンズ用ステッピングモータ５６に送り、前群レンズ４３を測距位置に応じた合焦位置に移動させる。
【００２７】
スイッチ群を構成するテレ端側ズームボタン１７、又はワイド端側ズームボタン１８が操作されると制御部４２は、回転方向と所定のパルス数とをもった駆動信号をドライバー５５を介して前群レンズ用ステッピングモータ５６に送るとともに、この前群レンズ４３の移動に基づき予め決められた変倍位置に後群レンズ４４を移動させるための駆動信号をドライバー５７を介して後群レンズ用ステッピングモータ５８に送る。これらのステッピングモータ５６，５８は、各駆動信号に基づいて２つの前後群レンズ４３，４４をそれぞれ進退させて焦点距離を変える。これらの駆動信号は、ズームボタン１７，１８の操作が継続されている間だけ送出される。
【００２８】
制御部４２は、電源スイッチ２３のＯＮ操作に応答して、各ステッピングモータ５６，５８を制御して前後群レンズ４３，４４を所定方向に移動させる。この方向にはレンズ鏡筒３９に各々固定した２つのホームポジションセンサ５９，６０が設けられている。制御部４２は、これらのホームポジションセンサ５９，６０で前後群レンズ４３，４４を検出することで、ステッピングモータ５６，５８の駆動をそれぞれ停止する。この位置が初期位置とされており、この位置から所定のパルス数を与えて前後群レンズ４３，４４を移動させる。なお、前後群レンズ４３，４４の初期位置は、ワイド端とされている。
【００２９】
制御部４２は、変倍位置に移動した前群レンズ４３の位置を、ホームポジションセンサ５９で検出した位置から移動した分のパルス数のカウント値で監視している。そして、ズームセットボタン２０が操作されたときには、その時点でのカウント値をＲＡＭ６１に記憶する。
【００３０】
制御部４２は、ワンタッチズームボタン２１が操作されたとき、フイルムキャリア２６の着脱が行われたとき、及び、コマ送り信号が得られたときに、ＲＡＭ６１にデータが記憶されているかどうかを調べる。記憶されている場合には、ＲＡＭ６１に記憶されたカウント値を読み出し、読み出した値に応じた変倍位置まで前群レンズ４３を移動させる。
【００３１】
また、ＲＡＭ６１にカウント値が記憶されていない場合には、ヘッド位置検出器４９から得られるヘッド位置信号に基づいて、縦位置のときの写真画像全体をＣＲＴモニタに表示する倍率にする変倍位置、又は、横位置のときに写真画像全体をＣＲＴモニタに表示する倍率にする変倍位置に前群レンズ４３を移動させる。これらのデータは、ＲＯＭ６２に予め記憶されており、レンズ鏡筒３９のａ位置又はｂ位置ごとに記憶されている。
【００３２】
図４は、フイルムキャリア２６の内部構成を概略的に示したものである。フイルム送り機構は、巻取り軸７０，スプール駆動軸７１、モータ７２、駆動伝達機構７３、及びフイルム給送制御手段等から構成されている。巻取り軸７０は、フイルム巻取り室３１の内部に回転自在に組み込まれており、外周に摩擦係数の高いゴム等の層が設けられた円筒状のローラとされている。連絡板３２の内部のフイルム通路を通過してきた現像済みの写真フイルム２７ｂの先端は、図示しないガイドローラによって巻取り軸７０の外周に押し付けられ、巻取り方向に回転する巻取り軸７０の表面の摩擦によって巻き付けられる。
【００３３】
モータ７２は、巻取り軸７０の内部の空洞に配置されている。このモータ７２の駆動は、駆動伝達機構７３を介してスプール駆動軸７１に伝達される。スプール駆動軸７１は、装填されたカートリッジ２７ａのスプール２８に係合される。駆動伝達機構７３は、モータ７２の駆動軸とスプール駆動軸７１とに巻き掛けられたベルト７３ａによって駆動を伝達する巻掛け伝達機構とされている。また、駆動伝達機構７３には、フイルム巻戻し時に駆動伝達を解除する一方向クラッチが組み込まれている。なお、巻掛け伝動機構の代わりに、ギヤ列により駆動を伝達する歯車伝動機構を用いてもよい。
【００３４】
フイルム給送制御手段は、制御回路５１と、この制御回路５１に各種検出信号を入力するパーフォレーションセンサ７７、スイッチ回路７５等で構成されている。制御回路５１は、パーフォレーションセンサ７７、及びスイッチ回路７５からの検出信号に基づいてモータドライバ７９を介してモータ７２の駆動又は停止、及び駆動時の回転方向とを制御する。また、制御回路５１には電池８０が接続されており、モータ７２等への電源供給は制御回路５１を介して行われる。
【００３５】
パーフォレーションセンサ７７は、写真フイルム２７ｂのパーフォレーション２７ｃを検出するもので、例えば透過型の光電センサが用いられる。パーフォレーション２７ｃは、撮影コマの位置を割り出すために、フイルム先端とフイルム後端との間に位置する有効露光範囲内で、フイルム幅方向の片側に、隣接した２個を一定ピッチで形成されている。パーフォレーションセンサ７７は、隣接した２個のパーフォレーション２７ｃ間の中心がフイルムマスク８１の長手方向の中心に合ったときに、１つのパーフォレーション２７ｃを検出できる位置に配置されている。制御回路５１は、パーフォレーションセンサ７７を介してパーフォレーション２７ｃの通過を検出し、フイルム先端側の最初のコマ２７ｄをセットするときには３個目、これ以降のコマ２７ｄは２個目のパーフォレーション２７ｃを検出した時点でモータ７２の駆動を停止する１コマ移送制御を行う。
【００３６】
スイッチ回路７５には、前述した１コマ順送りボタン３５、１コマ逆送りボタン３６、自動巻戻しボタン３７が接続されており、各スイッチ３５〜３７の押圧操作に応じた信号を制御回路５１に入力する。
【００３７】
１コマ順送りボタン３５は、写真フイルム２７ｂを１コマ分だけフイルム巻取り室３１へ向けて搬送するときに操作される。１コマ順送りボタン３５が操作されると、制御回路５１はモータ７２を駆動し、駆動伝達機構７３を介してスプール駆動軸７１をフイルム送り出し方向に回転させる。
【００３８】
１コマ逆送りボタン３６は、写真フイルム２７ｂをフイルム巻取り室３１からカートリッジ室３０に向けて搬送するときに操作される。制御回路５１は、１コマ逆送りボタン３６が押圧されている間、モータ７２を駆動してスプール駆動軸７１をフイルム巻き戻し方向に回転させる。
【００３９】
制御回路５１は、これらの１コマ順送り、又は逆送りを行った後に外部接続端子８２にコマ送り完了信号を送出する。外部接続端子部８２は、電子ビュアーに取り付けられたときに電子ビュアー１０の外部接続端子５０に接続され、コマ送り完了信号を電子ビュアー１０の制御部４２に送る。
【００４０】
自動巻戻しボタン３７は、写真フイルム２７ｂを全てカートリッジ２７ａの内部に巻き戻すときに用いられる。制御回路５１は、自動巻戻しボタン３７が押圧されると、モータ７２を駆動させてスプール駆動軸７１をフイルム巻取り方向に駆動する。このとき、一方向クラッチによって巻取り軸７０への回転の伝達が解除され、巻取り軸７０は従動回転する。
【００４１】
上記構成の作用を、図５に示したフローチャートにしたがって説明する。先ず電子ビュアー１０の電源スイッチ２３をＯＮにする。これにより、制御部４２がインバーター回路５２を制御して照明灯５３が点灯する。また、制御部４２は、ステッピンッグモータ５６，５８を制御して前後群レンズ４３，４４をホームポジンションに移動させる。
【００４２】
フイルムキャリア２６を電子ビュアー１０にセットする。これにより、ビュアー本体１２の撮影開口３８の上にフイルムマスク８１が、またフイルム通路を挟んでフイルムマスク８１とは逆側に拡散板８３がそれぞれ位置した状態となるとともに、互いの外部接続端子８２，５０が接続される。
【００４３】
制御部４２は、外部接続端子５０に端子８２が接続されることで、フイルムキャリア２６が装着されたことを認識し、ＲＡＭ６１に記憶されたデータがあるかどうかを調べる。無い場合には、ヘッド位置検出器４９から得られるヘッド位置信号に基づいて縦位置のときの写真画像全体をＣＲＴモニタに表示する縦ＦＵＬＬ倍率、又は、横位置のときに写真画像全体をＣＲＴモニタに表示する横ＦＵＬＬ倍率となるように前後群レンズ４３，４４を移動させる。
【００４４】
これらの倍率に対応したデータは、ＲＯＭ６２に予め記憶されている。そして、これらのデータは、撮像範囲切換えレバー２５の切換え位置に応じた数ごとに記憶されているから、制御部４２は、切換え信号が検出器４７，４８とのいずれかから得られているかで切換え位置を調べる。したがって、ヘッド部１１の回転位置とレンズ鏡筒３９の切換え位置とに対応した縦又は横ＦＵＬＬ倍率のデータをＲＯＭ６２から読み出す。このとき、未だ写真画像がセットされていないから、この時点ではヘッド部１１を横位置、撮像範囲切換えレバー２５をＢ位置にした状態とされているものとする。
【００４５】
読み出したデータは、前群レンズ４３を移動させるためのパルス数及び移動方向とで構成されているから、これらのデータに基づいた駆動信号をドライバー５５を介してステッピングモータ５６に送ることで、ステッピングモータ５６が駆動して前群レンズ４３が所望の変倍位置に移動する。他方後群レンズ４４は、前群レンズ４３の移動量に基づいて予め決められた位置に移動される。これにより、前後群レンズ４３，４４を構成するズームレンズ光学系がレンズ鏡筒３９がｂ位置のときの横ＦＵＬＬ倍率となる焦点距離に変更される。
【００４６】
その後、フイルムキャリア２６の開閉レバー３４を開き位置に操作して蓋３３を開けてカートリッジ２７ａを装填する。そして、蓋３３を閉めた後に、開閉レバー３４を閉じ位置に操作する。この開閉レバーの操作により装填されたカートリッジ２７ａの遮光蓋２９が自動的に開き位置に回転する。
【００４７】
１コマ順送りボタン３５を押下操作すると、制御回路５１がモータ７２を駆動して巻取り軸７０とスプール駆動軸７１とを回転させる。これにより、写真フイルム２７ｂがフイルム先端から送り出される。フイルム先端は、巻取り軸７０に巻き取られ、その後、パーフォレーションセンサ７７がフイルム先端から３個目のパーフォレーション２７ｃを検出した時点で、モータ７２の駆動が停止される。これにより、最初のコマ２７ｄがフイルムマスク８１にセットされる。このとき、制御回路５１は、外部接続端子８２，５０とを介してコマ送り完了信号を電子ビュアー１０の制御部４２に送る。このコマ送り信号を受け取ったときに制御部４２は、ＲＯＭ６２からヘッド部１１の横位置とレンズ鏡筒３９のｂ位置とに対応した横ＦＵＬＬ倍率のデータを読み出し、このデータに基づいて前群レンズ４３を移動させるように制御するが、この時点では既に前群レンズ４３がこの変倍位置に移動しているから、この制御が無効化される。
【００４８】
ズームレンズ光学系は、ヘッド部１１の横位置とレンズ鏡筒３９のｂ位置とに対応した横ＦＵＬＬ倍率の焦点距離に変更されているから、最初のコマ２７ｄの写真画像が横位置である場合には、このままでＣＲＴモニタに写真画像の全体が表示される。一方、最初のコマ２７ｄの写真画像が縦位置の場合には、ヘッド部１１を９０度回転させる。この操作によりヘッド位置検出器４９がヘッド部１１が横位置である旨のヘッド位置信号を制御部４２に送る。これにより、制御部４２は、ＲＯＭ６２からヘッド部１１の縦位置とレンズ鏡筒３９のｂ位置とに対応した縦ＦＵＬＬ倍率のデータを読み出し、このデータに基づいて前群レンズ４３を移動させる。他方後群レンズ４４も、前群レンズ４３の移動量に基づいて予め決められた位置に移動される。これにより、レンズ鏡筒３９がｂ位置のときの縦ＦＵＬＬ倍率となる焦点距離にズームレンズ光学系が変更される。
【００４９】
一部だけ拡大して表示させたい場合には、テレ側ズームボタン１７の操作によって任意の倍率で表示することができる。しかも、更なる拡大をしたい場合には、撮像範囲切換えレバー２５をＡ位置に操作してレンズ鏡筒３９をフイルム面に近づけることで更なる拡大が行なえる。この撮像範囲切換えレバー２５をＡ位置に操作したまま、１コマ送り操作、又はフイルムキャリア２６のチェンジを行うことで、前述したと同じにレンズ鏡筒３９がａ位置のときの縦又は横ＦＵＬＬ倍率となる焦点距離にズームレンズ光学系が変更される。
【００５０】
以下、１コマ順送りボタン３５を押下操作するごとに、各コマ２７ｄがフイルムマスク８１にセットされてこのコマの写真画像をＣＲＴモニタに表示することができるとともに、この１コマ送り毎にズームレンズ光学系がＣＲＴモニタに写真画像全体を正しく表示する倍率に変更されるから、先のコマでズーム操作を行って任意の倍率に変更しても、次のコマをセットすると必ず元に倍率に戻るとともに、ヘッド部１１を回転させるだけで自動的に撮影画像の向きに応じた倍率に変更されるため簡便である。なお、１コマ順送りボタン３５の代わりに、１コマ逆送りボタン３６を押下操作するとモータ７２の駆動方向が変わるだけでその後の作用は前述したと同じである。
【００５１】
全部のコマ２７ｄの表示を完了した後には、写真フイルム２７をカートリッジ２７ａに収納する。この作業は、自動巻戻しボタン３７を押下操作する。これにより、制御回路５１がドライバー７９を介してモータ７２を駆動させてスプール駆動軸７１をフイルム巻取り方向に駆動する。このとき、一方向クラッチによって巻取り軸７０への回転の伝達が解除され、巻取り軸７０は従動回転する。この間、制御回路５１は、パーフォレーションセンサ７７から得られる信号を監視し、フイルム先端側のパーフォレーション２７ｃの通過を検出する。この検出は、パーフォレーション２７ｃの通過を検出してから一定時間経過後に次のパーフォレーション２７ｃの通過が検出されないことで最後のパーフォレーション２７ｃであることを認識できる。そして、フイルム巻取り方向に沿った最後のパーフォレーション２７ｃを検出してから一定時間経過後にドライバー７９を介してモータ７２に駆動を停止する。これにより、全部の写真フイルム２７ｂがカートリッジ２７ａに巻き込まれた状態となる。
【００５２】
表示済みのカートリッジ２７ａを取り出す場合には、モータ７２の駆動が停止した後に、開閉レバー３４を開き位置に操作する。この操作に連動してカートリッジ２７ａの遮光蓋２９が閉じ位置に回転される。その後、フイルムキャリア２６の蓋３３を開くことで簡単に表示済みのカートリッジ２７ａを取り出すことができる。
【００５３】
ところで、各コマの写真画像を所定の倍率で順次に表示させたい場合がある。この場合には、ズームボタン１７，１８を操作して予め所望する倍率にズームレンズ光学系をズームさせた後に、ズームセットボタン２０を押下操作する。これにより、制御部４２は、この時点での前群レンズ４３の移動量、すなわちホームポジンションセンサ５９で前群レンズ４３を検出した時点からのパスル数のカウント値をＲＡＭ６１に記憶する。ＲＡＭ６１にカウント値が記憶された後には、制御部４２が１コマ送りボタン３５，３６の押下操作、ワンタッチズームボタン２１の押下操作、及びフイルムキャリア２６のチェンジ操作のいずれかが行われた場合に、ＲＡＭ６１に記憶したカウント値を読み出して前群レンズ４３を移動させ、また後群レンズ４４を前群レンズ４３の移動量に基づいて移動させる。これにより、一々ズームボタン１７，１８を押下操作して所定の倍率となる焦点距離にズームレンズ光学系を変更する手間が省けて簡便となる。
【００５４】
ＲＡＭ６１に記憶した値は、例えばズームセットボタン２０とワンタッチズームボタン２１とを同時に押下する操作を一定時間だけ行うことで消去される。この場合は、電源スイッチ２３をＯＦＦしても値が消去されないようにしておく。なお、電源スイッチ２３をＯＦＦすることでＲＡＭ６１に記憶した値が消去されるようにしてもよい。
【００５５】
【発明の効果】
以上のように、本願発明の電子ビュアーでは、レンズ鏡筒の切り換え位置とヘッド部の回転位置とに基づいて変倍制御手段が固体撮像素子で撮像した画像の全体をモニタに表示する像倍率となるようにズームレンズ光学系を変倍するから、従来技術で説明したように、ズーミング操作を行ってズームレンズ光学系の基準の変倍位置を変えてしまうことに伴うズーミング操作をしなくても済み、よってズームレンズの変倍位置に係わらず画像の全体を確実にモニタに表示することができる。
【図面の簡単な説明】
【図１】  電子ビュアーとフイルムキャリアとの内部機構を概略的に示した説明図である。
【図２】  本発明の電子ビュアーを正面側から見た斜視図である。
【図３】  図２に示す電子ビュアーにフイルムキャリアを取り付けてヘッド部を９０度回転させた状態を背面側から見た斜視図である。
【図４】  フイルムキャリアの内部に設けた機構を概略的に示した説明図である。
【図５】  電子ビュアーの制御部のシーケンスを示すフローチャート図である。
【符号の説明】
１０  電子ビュアー
１１  ヘッド本体
１２  ビュアー本体
２５  撮像範囲切換えレバー
２６  フイルムキャリア
２７  カートリッジ付き写真フイルム
３９  レンズ鏡筒
４２  制御部
４３  前群レンズ
４４  後群レンズ
４０  固体撮像素子
６１  ＲＡＭ
６２  ＲＯＭ
【図１】
0003655390.tif 000002
【図２】
0003655390.tif 000003
【図３】
0003655390.tif 000004
【図４】
0003655390.tif 000005
【図５】
0003655390.tif 000006